(57)【要約】【課題】錠装置に関し、デッドボルトの不正な押し込み力負荷に対して高い耐性を発揮させることができることを目的とする。【解決手段】デッド操作アーム１を備えて錠ケース２内に回転操作可能に装着されるデッド駆動カム３と、  デッド操作アーム１により施解錠位置間を並進駆動され、施錠位置において先端が錠ケース２から前方に突出するＵ字断面形状のデッドボルト４と、  デッドボルト４の開放断面端を閉塞するように側壁間に架設、固定され、デッドボルト４の施錠操作時におけるデッド操作アーム１の押圧対象となる補強ブロック５とを有する錠装置【選択図】  図６
2008190189.tif 000002
【特許請求の範囲】
【請求項１】
デッド操作アームを備えて錠ケース内に回転操作可能に装着されるデッド駆動カムと、
デッド操作アームにより押動されて施解錠位置間を並進駆動され、施錠位置において先端が錠ケースから前方に突出するＵ字断面形状のデッドボルトと、
デッドボルトの開放断面端を閉塞するように対向側壁間に架設、固定される補強ブロックとを有し、
デッドボルトの施錠操作時におけるデッド操作アームの押圧対象を補強ブロックに形成した錠装置。
【請求項２】
前記デッドボルトの閉塞断面端には、デッド駆動カムの解錠回転操作により係止解除位置に駆動されるデッドストッパが係止してデッドボルトの解錠位置への移動を規制するストッパ用段部が形成される請求項１記載の錠装置。
【請求項３】
デッドボルトが施錠位置にあるときにデッドボルトの側縁から突出する鎌部材を有し、
前記補強ブロックの前縁には、少なくとも鎌部材が突出姿勢にあるときに鎌部材の後端に嵌合する嵌合部が形成される請求項１または２記載の錠装置。
【請求項４】
デッド操作アームを備えて錠ケース内に回転操作可能に装着されるデッド駆動カムと、
デッド操作アームにより押動されて施解錠位置間を並進駆動され、施錠位置において先端が錠ケースから前方に突出するＵ字断面形状のデッドボルトと、
デッドボルトの開放断面端を閉塞するように対向側壁間に架設、固定される補強ブロックと、
デッドボルトが施錠位置にあるときにデッドボルトの側縁から突出する鎌部材とを有し、
前記補強ブロックの前縁には、少なくとも鎌部材が突出姿勢にあるときに鎌部材の後端に嵌合する嵌合部が形成される錠装置。
【発明の詳細な説明】
【技術分野】
【０００１】
本発明は錠装置に関するものである。
【背景技術】
【０００２】
断面Ｕ字形状のデッドボルトを備えた錠装置としては、特許文献１に記載のものが知られている。この従来例において、デッドボルトの後端には指状突出部分とヒレ状突起部分とが形成され、シリンダ錠等によりデッドカム（デッド駆動カム）を回転操作すると、デッドカムの作動アームが上記指状突出部分、あるいはヒレ状突起部分を押し出し、デッドボルトの施解錠動作が行われる。
【特許文献１】特開２００４-６８３３９号公報
【発明の開示】
【発明が解決しようとする課題】
【０００３】
上述した従来例において、デッドボルトが施錠状態にあるときにデッドボルトに解錠方向の押し込み力が負荷された場合、ヒレ状突起部分が作動アームに当接して押し込み方向への移動が規制される。しかし、ヒレ状突起部分がＵ字断面形状の開放断面部に形成されて薄板状をなす従来例においては、ヒレ状突起の座屈強度は高くないために、デッドボルトに大きな押し込み力が作用した場合には、座屈してしまう虞がある。
【０００４】
ヒレ状突起部分の座屈変形は、それ自体の変形によるデッドボルトの解錠位置側への移動に加え、周辺部材との干渉による周辺部材の誤動作を惹起し、予期しない解錠動作を招く可能性がある。
【０００５】
本発明は、以上の欠点を解消すべくなされたものであって、デッドボルトの不正な押し込み力負荷に対して高い耐性を発揮することのできる錠装置の提供を目的とする。
【課題を解決するための手段】
【０００６】
錠装置のデッドボルト４は断面Ｕ字形状に形成され、施解錠操作時に回転操作されるデッド駆動カム３により並進駆動され、施解錠位置間を移動する。デッドボルト４の並進駆動は、デッド駆動カム３のデッド操作アーム１によりデッドボルト４に設けられる施錠用被押動部５ａ、あるいは解錠用被押動部４ａを押し付けることにより行われ、施錠用被押動部５ａは、デッドボルト４に固定される補強ブロック５に形成される。
【０００７】
デッド駆動カム３に形成されたデッド操作アーム１によりデッドボルト４に設けられる被押動部４ａを押し付けてデッドボルト４を並進駆動するこの発明において、複雑なガイド等を要しないために、構造を簡単にすることができる。
【０００８】
また、デッドボルト４が施錠位置にあるときにデッド操作アーム１が当接する補強ブロック５は、デッドボルト４の対向壁面間に架設されて固定されるために、補強ブロック５が固定された部位のデッドボルト４断面は、閉じられた矩形形状をなす。この状態でデッドボルト４に解錠位置側、すなわち、錠ケース２内への大きな押し込み力が負荷されても、対向壁面のいずれか一方が不用意に変形することがなくなり、変形に伴う他の部品との干渉、あるいはデッドボルト４自体の変形による解錠位置側への移動が発生しない。
【０００９】
さらに、デッドボルト４の閉塞断面端にストッパ用段部７を形成し、施錠状態においてデッドストッパ６を係止させた場合には、デッドボルト４に上記押し込み力が作用した場合には、上下端縁において押圧力を負担するために、デッドボルト４に垂直方向の回転力が発生しない。このため、デッドボルト４の傾きによる隣接部材の誤動作を確実に防止することができる。
【００１０】
また、補強ブロック５の前縁に嵌合部９を形成し、鎌部材８の後端に嵌合させた場合には、デッドボルト４内部で鎌部材８と補強ブロック５が連結される。この結果、これら鎌部材８と補強ブロック５とは一体として作用する補強部材として機能するために、折り曲げ力、とりわけ、デッドボルト４先端に側方から破壊力が加えられた場合の強度、剛性を飛躍的に高めることができる。
【００１１】
嵌合部９は、鎌部材８の一部に形成された突部、あるいは鎌部材８の後端部全体に嵌合する凹溝としても、あるいは鎌部材８側に形成される凹溝への嵌合突部として形成することができる。
【発明の効果】
【００１２】
本発明によれば、デッドボルトの不正な押し込み力負荷に対して高い耐性を発揮させることができる。
【発明を実施するための最良の形態】
【００１３】
図１、２に電気錠として構成された本発明の実施の形態を示す。電気錠は、錠ケース２内に動力ユニット１０により駆動されるデッドボルト４を収容して形成され、扉体１１に固定して使用される。
【００１４】
錠ケース２は、図４に示すように、一対のケース半体１２を連結して中空ボックス形状に形成され、前端面に取付プレート１３が固定される。取付プレート１３は、扉体１１内に挿入して固定するときの扉体１１への固定用フランジを提供し、扉体１１に固定した後、化粧プレート１４により覆われる。
【００１５】
動力ユニット１０は、ユニットケース１５内に図外のモータ、歯車列等を収容して形成され、ユニットケース１５から引き出されるリード線１６からの制御信号により駆動制御される。動力ユニット１０内で生成された動力は、動力ユニット１０の出力軸１７に出力され、出力軸１７に連結された中継ギア１８を回転させる。中継ギア１８の回転は、両端にラック歯車１９ａを備えた伝達杆１９を介してデッド駆動カム３に伝達される。
【００１６】
図２、３に示すように、デッド駆動カム３はデッド操作アーム１を備え、動力ユニット１０の施解錠動作に伴ってほぼ９０°施解錠回転位置間で回転駆動される。デッド駆動カム３が施錠回転位置側に回転駆動されると、デッド操作アーム１がデッドボルト４に固定された施錠用被押動部５ａを前方に押し出し、デッドボルト４を先端が前方に飛び出した施錠位置に移動させる。また、この状態からデッド駆動カム３が解錠回転位置側に回転駆動されると、デッド操作アーム１はデッドボルト４の解錠用被押動部４ａを後方に押し込み、デッドボルト４を図２に示す解錠位置に移動させる。
【００１７】
また、扉体１１に固定されるシリンダ錠２０、あるいはサムターン装置２１によりデッドボルト４を駆動するために、デッド駆動カム３の回転中心部には、シリンダ錠２０等の回転軸部材を嵌合するための嵌合孔３ａが形成される。
【００１８】
上記デッド駆動カム３にはリンク杆２２が連結され、リンク杆２２の一端部が、錠ケース２に回転自在に立設された支柱２３に側方から摺動自在に貫通する。リンク杆２２には一端が支柱２３に、他端がリンク杆２２に形成されるストッパフランジ２２ａに押さえ付けられた圧縮スプリング２４が巻装されており、デッド駆動カム３を施解錠いずれかのストローク終端位置に節度停止させる。
【００１９】
図５に示すように、上記デッドボルト４を円滑にスライドさせ、作動時の異音発生等を防止するために、錠ケース２には合成樹脂製のガイド部材２５が固定される。ガイド部材２５はデッドボルト４の側壁が摺接するガイド面を有して断面コ字形状に形成される。ガイド部材２５は、図示したものとほぼ同形のものが対になって矩形筒形状をなし、デッドボルト４の側壁全体を囲むが、図５においては一方のガイド部材２５のみが図示されている。
【００２０】
さらに、錠ケース２には、ストッパレバー２６が支軸２７周りに揺動自在に連結される。ストッパレバー２６は先端部に円柱状のデッドストッパ６を有し、図外のトーションスプリングにより図５において反時計回りに付勢される。このストッパレバー２６は、上記デッド駆動カム３が施錠回転位置から解錠回転位置に移動する途上でデッド操作アーム１に干渉して上部ストローク終端位置まで押し上げられる。
【００２１】
図６にデッドボルト４の詳細を示す。デッドボルト４は、厚板鋼板をＵ字形状に折り曲げて形成される。このデッドボルト４は開放断面部を下方に向けた姿勢でガイド部材２５に長手方向摺動自在に嵌合され、後部上端にストッパ用段部７が形成される。このストッパ用段部７は、図３に示すように、デッドボルト４が施錠位置にあるときにデッドストッパ６が係止してデッドボルト４の解錠位置側への移動を規制する。
【００２２】
上述したように、デッドストッパ６は、デッド駆動カム３の解錠回転位置側への回転初期、すなわち、デッドボルト４の解錠位置側への移動に先立って上部ストローク終端側にドライブされてストッパ用段部７との係止を解除し、デッドボルト４の解錠位置側への移動を許容する。
【００２３】
上述した解錠用被押動部４ａは、外部からの不正な破壊力が負荷されるおそれがないために、デッドボルト４の後端を切り欠いて形成される。
【００２４】
これに対し、施錠用被押動部５ａはデッドボルト４とは別体の補強ブロック５の後端に形成される。補強ブロック５は、前後方向に適宜長を有し、デッドボルト４の下端開放端を閉塞することができるようにデッドボルト４の対向壁面間の間隔にほぼ等しい厚みに形成される。この補強ブロック５は前端に嵌合突部（嵌合部９）を備え、ロールピン２８等を使用してデッドボルト４に固定される。
【００２５】
図３に示すように、施錠位置にあるデッドボルト４に押し込み方向の破壊操作力が加えられると、十分な剛性を有す補強ブロック５が荷重負担をする。このため、デッドボルト４に座屈変形等の有害な変形が発生してデッド駆動カム３等の予期しない作動を引き起こし、不正に解錠操作がされてしまうような不具合が防止される。また、上記破壊荷重に対しては、上下端位置に配置されて上下方向に適宜間隔を有するデッドストッパ６とデッド駆動カム３のデッド操作アーム１が協働して荷重負担するために、デッドボルト４に一端を中心に他端が上下に移動する方向の回転トルクの発生が防止されるために、当該方向のデッドボルト４の回転に伴う周辺部材への予期しない誤動作の発生が防止される。
【００２６】
図７に示すように、デッドボルト４には、前後に長いガード挿入長孔４ｂが開設され、このガード挿入長孔４ｂ内にデッドガード２９が挿入される。デッドガード２９は鋼板により形成され、左右両端に形成された取付片２９ｂを錠ケース２の取付開口２ａに挿入して所定位置に水平姿勢で固定される。
【００２７】
このデッドガード２９は、後端縁に嵌合切欠２９ａを備える。図７（ｂ）に示すように、嵌合切欠２９ａは、デッドボルト４が施錠位置に移動すると、デッドボルト４のガード挿入長孔４ｂの後端縁に嵌合し、当該部位における対向壁面間が接近、離隔する方向の変形が規制される。この結果、当該荷重に対する剛性、および強度が高められる。
【００２８】
さらに、デッドガード２９の前縁には、取付片２９ｂからさらに前方に張り出す転び防止片２９ｃが設けられる。図７に示すように、転び防止片２９ｃは、装着状態において錠ケース２の裏面に当接し、デッドガード２９自体の転びによるデッドボルト４の変形を防止する。
【００２９】
以上のように構成されるデッドボルト４には、鎌部材８が支軸３０周りに揺動自在に軸支される。図６に示すように、鎌部材８は芯板部３１の両面にカバープレート３２を固定して形成され、前後端部に係止爪８ａと作動突部８ｂとを備える。この実施の形態において芯板部３１は１枚の厚めの鋼板により形成されているが、複数枚を積層して形成することも可能であり、この芯板部３１に開設された抵抗体収容孔３１ａに切断抵抗体３３が挿入される。切断抵抗体３３は焼入鋼等、耐刃物切削性に優れた材料によりピン形状に形成され、芯板部３１に貫通孔として形成される抵抗体収容孔３１ａに挿入された後、カバープレート３２を固定することにより脱落が防止される。
【００３０】
また、鎌部材８の後端には嵌合凹部８ｃが形成される。嵌合凹部８ｃは、カバープレート３２の後端を芯板部３１の後端からさらに後方に延ばして凹溝状に形成される。
【００３１】
鎌部材８は、デッドボルト４が解錠位置にある時には、図６（ｄ）に示すように、係止爪８ａがデッドボルト４内に格納されて施錠動作時の係止爪８ａのストライク３６との衝接が防止される格納姿勢を取る。図２に示すように、この格納姿勢は、上記ガイド部材２５に形成された干渉部３４に作動突部８ｂが乗りあがることにより維持されており、この状態からデッドボルト４が施錠位置側に移動すると、図３に示すように、作動突部８ｂがガイド部材２５に形成される鎌操作突条３５に当接し、鎌部材８に反時計回りに回転力を付与する。このとき、鎌操作突条３５が合成樹脂製のガイド部材２５に形成されているために、施錠動作時の金属音の発生が防止される。
【００３２】
図１に示すように、鎌部材８の回転により、鎌部材８の係止爪８ａはデッドボルト４の下端縁から突出し、以後、ストライク３６がデッドボルト４脱離方向、すなわち、図１において左側に移動した場合にはストライク孔３６ａの周壁に係止し、当該方向への移動を規制する。
【００３３】
また、上記切断抵抗体３３は図１、３に示すように、デッドボルト４が施錠位置にあり、鎌部材８がストライク孔３６ａの周壁との係止可能位置にあるときに横向き姿勢を取り、かつ、化粧プレート１４を挟んでケース内外に位置するように配置される。この結果、扉体１１と扉枠３７との隙間に挿入された刃物による切断操作は、切断抵抗体３３の耐刃物切断強度により、さらには、刃物の切断動作に伴う切断抵抗体３３の空転により排除される。
【００３４】
さらに、図６に示すように、鎌部材８がストライク孔３６ａの周壁との係止可能位置にあるときには、補強ブロック５の嵌合突部９が鎌部材８の嵌合凹部８ｃに嵌合する。この状態で、デッドボルト４の前部と後部とは鎌部材８と補強ブロック５により切れ目なく補強されるために、デッドボルト４に側方の破壊力が負荷されても、容易に折れ曲がることがなくなる。
【図面の簡単な説明】
【００３５】
【図１】本発明を示す図で、（ａ）は、施錠状態を示す図、（ｂ）は１Ｂ矢視図である。
【図２】デッドボルトが解錠位置に移動した状態を示す図である。
【図３】デッドボルトが施錠位置に移動した状態を示す図である。
【図４】錠装置の組立を示す斜視図で、（ａ）はケース半体をもう一方のケース半体に取り付ける状態を示す斜視図、（ｂ）は取付プレートおよび化粧プレートを錠ケースに取り付ける状態を示す斜視図である。
【図５】デッドボルトを取り除いた状態を示す図で、（ａ）はデッドボルトが施錠位置に移動した状態を示す図、（ｂ）はデッドボルトが解錠位置へ移動する途中の状態を示す図である。
【図６】デッドボルトを示す図で、（ａ）は６Ａ-６Ａ線断面図、（ｂ）は６Ｂ矢視図、（ｃ）は６Ｃ矢視図、（ｄ）は（ａ）の解錠位置に移動した状態を示す図である。
【図７】錠装置を示す断面図で、（ａ）は７Ａ-７Ａ線断面図、（ｂ）は（ａ）のデッドボルトが施錠位置へ移動した状態を示す断面図である。
【符号の説明】
【００３６】
１    デッド操作アーム
２    錠ケース
３    デッド駆動カム
４    デッドボルト
５    補強ブロック
６    デッドストッパ
７    ストッパ用段部
８    鎌部材
９    嵌合部
【図１】
2008190189.tif 000003
【図２】
2008190189.tif 000004
【図３】
2008190189.tif 000005
【図４】
2008190189.tif 000006
【図５】
2008190189.tif 000007
【図６】
2008190189.tif 000008
【図７】
2008190189.tif 000009